(57)【特許請求の範囲】
【請求項１】
一方の側端部に断面略逆Ｕ字状の嵌合部を設けると共に他方の側端部に被嵌合部を設けて縦葺屋根材を形成し、固定部に支持部と係止部とを立設して吊子を形成し、吊子を固定部にて屋根下地に固定すると共に吊子の係止部に縦葺屋根材の被嵌合部を係止し、縦葺屋根材の嵌合部の内側にシール材を挿着し、縦葺屋根材の嵌合部を隣接する縦葺屋根材の被嵌合部に被嵌させることにより被嵌合部の上端部と支持部の上端部にシール材を圧接させて被嵌合部と支持部の支持により嵌合部の内面にシール材を密着して成ることを特徴とする縦葺屋根材の接続構造。
【請求項２】
被嵌合部に下側から当接して支持することにより、シール材の圧接による被嵌合部の下側への変形を防止するための変形防止片を吊子に設けて成ることを特徴とする請求項１に記載の縦葺屋根材の接続構造。
【発明の詳細な説明】
【０００１】
【発明の属する技術分野】
本発明は、アーチ（ボールト）型等を含めた軒棟方向の縦葺屋根を形成するために野地板等の屋根下地に横方向（軒棟方向と直交する方向）に接続されて葺かれる縦葺屋根材の接続構造に関するものである。
【０００２】
【従来の技術】
従来より、図８（ａ）（ｂ）に示すような縦葺屋根材Ａ′が提案されている。縦葺屋根材Ａ′は、略平板状の屋根材本体１の一方の側端部（屋根下地の傾斜方向と平行な端部で例えば軒棟方向と平行な端部）の略全長に亘って嵌合部２を上方（縦葺屋根材Ａ′の表面側）に向けて突出させると共に屋根材本体１の他方の側端部の略全長に亘って被嵌合部３を上方に向けて突出させることによって形成されている。
【０００３】
縦葺屋根材Ａ′の一方の側端部は図８（ｂ）に示すように、上方に凸の略円弧状で屋根材本体１の側端部に外方（屋根材本体１と反対方向）斜め上方に突出させて連設される円弧片５５と、円弧片５５の先端から上方に略垂直に突出させて形成される突出片５６と、突出片５６の先端から外方に略水平に突出させて断面略倒Ｕ字状に屈曲形成される突部５８と、突部５８の端部から上方に突出させて断面略逆Ｕ字状に折り曲げて形成される嵌合部２と、嵌合部２の先端（外側下端）から内方（屋根材本体１側）に向けて略水平に突出させて断面略倒Ｕ字状に形成される当接部５９とから構成されており、突部５８と当接部５９は互いにほぼ対向させて形成されている。
【０００４】
また、縦葺屋根材Ａ′の他方の側端部は図８（ｂ）に示すように、上方に凸の略円弧状で屋根材本体１の側端部に外方斜め上方に突出させて連設される円弧片６０と、円弧片６０の先端から上方に略垂直に突出させて形成される突出片６１と、突出片６１の先端から外方に略水平に突出させて形成される被受け部６２と、被受け部６２の先端を上方に向けて断面略逆Ｖ字状に突出させて設けられた被嵌合部３とから構成されている。
【０００５】
図９（ａ）（ｂ）には上記の縦葺屋根材Ａ′を屋根下地４に固定するための吊子Ｂ′が示されている。この縦葺屋根材用の吊子Ｂ′は、平板状の固定部６９と、固定部６９の一側端部から上方に略垂直に突出させて形成される立ち上がり部７０と、立ち上がり部７０の上端から固定部６９と反対方向で斜め下方に突出させて形成される挟持部７１と、立ち上がり部７０の固定部６９側の面から固定部６９の上面に亘って突出して形成されている左右一対のリブ部７３と、一対のリブ部７３の間において立ち上がり部７０の固定部６９と反対側の面に突設される受け部７２とから構成されている。上記の各リブ部７３には、両側方に開口する凹部７４がそれぞれ凹設してあって、この凹部７４の上側縁部が段部７７となっている。さらに上記の立ち上がり部７０と挟持部７１とで断面略逆Ｖ字状で溝状の係合部７５が形成されており、係合部７５の下側（内側）において受け部７２が形成されている。
【０００６】
そして、上記の縦葺屋根材Ａ′を葺設するにあたっては次のようにして行う。まず、吊子Ｂ′の係合部７５を縦葺屋根材Ａ′の被嵌合部３に上側から嵌め込んで圧接させて係合させると共に縦葺屋根材Ａ′の被受け部６２を吊子Ｂ′の受け部７２に載置させて被嵌合部３の外側下端部を弾性的に係止させることによって、縦葺屋根材Ａ′の被嵌合部３の所定箇所に複数個の吊子Ｂ′を取り付ける。次に、屋根勾配と嵌合部２及び被嵌合部３が略平行となるようにして野地板等の屋根下地４に縦葺屋根材Ａ′を載置する。次に、縦葺屋根材Ａ′に取り付けられた各吊子Ｂ′の固定部６９の通孔６３を通して釘やビスなどを屋根下地４に固定することによって、複数個の吊子Ｂ′を介して上記の縦葺屋根材Ａ′を屋根下地４に取り付ける。
【０００７】
次に、屋根下地４に固定された上記縦葺屋根材Ａ′にこれとは別の他の縦葺屋根材Ａ′を接続する。屋根下地４に固定された縦葺屋根材Ａ′に他の縦葺屋根材Ａ′を接続するにあたっては、屋根下地４に固定されている縦葺屋根材Ａ′の被嵌合部３に上方から他の縦葺屋根材Ａ′の嵌合部２を嵌め込み、次に嵌合部２に上側から手で押さえたり足で踏んだりして力を加える。このように上側の縦葺屋根材Ａ′の嵌合部２に上側から力を加えることによって、上側の縦葺屋根材Ａ′の嵌合部２が側方に弾性的に広がった状態で下方へと移動し、上側の縦葺屋根材Ａ′の突部５８が吊子Ｂ′のリブ部７３の凹部７４に達すると共にこの縦葺屋根材Ａ′の当接部５９が吊子Ｂ′の挟持部７１の下方に達すると、嵌合部２が復元力（スプリングバック）によって広がった状態から元の形状に戻り、上側の縦葺屋根材Ａ′の突部５８の先端が吊子Ｂ′のリブ部７３の凹部７４に入り込んで凹部７４の底面に当接すると共にこの縦葺屋根材Ａ′の当接部５９が吊子Ｂ′の挟持部７１と屋根下地４に固定されている下側の縦葺屋根材Ａ′の被受け部６２との間に差し込まれる。このようにして上側に配置される縦葺屋根材Ａ′の嵌合部２の下側に、屋根下地４の上に固定された下側の縦葺屋根材Ａ′の被嵌合部３とこれに嵌着された吊子Ｂ′の上部を嵌合することによって、図１０に示すように隣接する縦葺屋根材Ａ′、Ａ′同士を接続することができる。この後、上記一連の作業を繰り返し行うことによって、複数枚の縦葺屋根材Ａ′を屋根下地４の上に葺設することによって屋根が形成されるのである。
【０００８】
上記のような縦葺屋根材Ａ′にあって、接続部分の防水性（水密性）はその外側を囲うように配置される嵌合部２による一次防水と、突部５８及び被受け部６２と屋根下地４の間に形成される内部の減圧空間（エアポケット）８０による二次防水とで確保している。この場合、通常の風雨に対しては充分な防水性を発揮する。しかし、緩勾配で且つ軒棟方向に長い屋根下地４に葺設された場合、あるいは積雪地で起こるすが漏れ（軒先部にできる氷提）の場合などでは、接続部分の高さを越えた雨水が溜まって接続部分に大量の水が進入する可能性があり、屋根の防水性を確保することが困難になることがあった。
【０００９】
そこで、図１１に示すような帯状のシール材１０で防水性を向上させることが行われている。このシール材１０はゴムなどの弾性体で形成されるものであって、被受け部６２の上側において被嵌合部３の基部（の側面）に全長に亘って貼り付けられるものであり、上記のように嵌合部２と被嵌合部３を嵌合することにより、図１２に示すように嵌合部２の当接部５９の先端がシール材１０に密着することになって、防水性を向上させようとしたものである。
【００１０】
【発明が解決しようとする課題】
しかし、縦葺屋根材Ａ′の成型時及び成型後において上記のような被嵌合部３の基部にシール材１０を貼り付けることは非常に難しいものであった。すなわち、被嵌合部３の基部にシール材１０を貼り付けようとすると、被嵌合部３の先端（外側下端）と被受け部６２の間の狭い隙間にシール材１０を挿入しなければならず、また、被嵌合部３の先端が刃物の如く飛び出した形状であって危険であり、さらに、被嵌合部３の基部は上方から見えにくい位置にあり、このような理由からシール材１０を貼り付けることは非常に難しく、且つ時間のかかる作業であった。特に、縦葺屋根材Ａ′を屋根下地４の上に揚げた後では高所における作業になってさらに貼り付け作業が困難になるものであった。
【００１１】
本発明は上記の点に鑑みてなされたものであり、屋根の防水性を向上させることができ、また、シール材の取り付けを容易に行うことができて作業性を向上させることができ、さらに、外観を損なわないようにすることができる縦葺屋根材の接続構造を提供することを目的とするものである。
【００１２】
【課題を解決するための手段】
本発明の請求項１に係る縦葺屋根材の接続構造は、一方の側端部に断面略逆Ｕ字状の嵌合部２を設けると共に他方の側端部に被嵌合部３を設けて縦葺屋根材Ａを形成し、固定部９に支持部４０と係止部２０とを立設して吊子Ｂを形成し、吊子Ｂを固定部９にて屋根下地４に固定すると共に吊子Ｂの係止部２０に縦葺屋根材Ａの被嵌合部３を係止し、縦葺屋根材Ａの嵌合部２の内側にシール材１０を挿着し、縦葺屋根材Ａの嵌合部２を隣接する縦葺屋根材Ａの被嵌合部３に被嵌させることにより被嵌合部３の上端部と支持部４０の上端部にシール材１０を圧接させて被嵌合部３と支持部４０の支持により嵌合部２の内面にシール材１０を密着して成ることを特徴とするものであり、シール材１０を被嵌合部３と支持部４０で支持して嵌合部２の内面に密着させることによって、隣接する縦葺屋根材Ａ同士の接続部分の防水性能を向上させることができるものである。また、シール材１０は狭い空間に挿入しないで取り付けることができ、シール材１０の取り付けを容易に行うことができて作業性を向上させることができるものである。また、シール材１０は嵌合部２の内側に収納することができ、嵌合部２の外側にはみ出ないようにして外観を損なわないようにすることができる。
【００１３】
また、本発明の請求項２に係る縦葺屋根材Ａの接続構造は、請求項１の構成に加えて、被嵌合部３に下側から当接して支持することにより、シール材１０の圧接による被嵌合部３の下側への変形を防止するための変形防止片７を吊子Ｂに設けて成ることを特徴とするものであり、シール材１０の圧接による被嵌合部３の変形を変形防止片７で防止することによって、シール材１０と被嵌合部３の密着性が低下しないようにすることができ、防水性能の低下を防止することができるものである。
【００１４】
【発明の実施の形態】
以下、本発明の実施の形態を説明する。
【００１５】
縦葺屋根材Ａは耐食性のある金属板等を折り曲げ加工して形成されるものであって、例えば、カラー鋼板やカラーステンレス鋼板、又は塩化ビニル系樹脂やフッ素系樹脂をラミネートした鋼板などを用いることができる。図２（ａ）に示すように縦葺屋根材Ａは、略水平板状もしくは小波形状（同一間隔で連続的に凹と凸の繰り返し模様を有する形状）の屋根材本体１の一方の側端部（屋根下地４の傾斜方向と平行な端部で例えば軒棟方向と平行な端部）の略全長に亘って嵌合部２を上方（縦葺屋根材Ａの表面側）に向けて突出させると共に屋根材本体１の他方の側端部の略全長に亘って被嵌合部３を上方に向けて突出させることによって形成されている。
【００１６】
縦葺屋根材Ａの一方の側端部は図２（ｂ）に示すように、上方に向かって凸の略円弧状で屋根材本体１の側端部に外方（屋根材本体１と反対方向）斜め上方に突出させて連設される円弧片１５と、円弧片１５の端部から上方に突出させて形成される突出片１６と、突出片１６の端部から外方に突出させて形成される載置片１７と、載置片１７の端部から上方に突出させて形成される断面略逆Ｕ字状の突部８と、突部８の端部から上方に突出させて形成される断面略逆Ｕ字状の嵌合部２と、嵌合部２の端部から内方（屋根材本体１の方向）に突出させて形成される折り返し部１９とから構成されている。
【００１７】
また、縦葺屋根材Ａの他方の側端部は図２（ｃ）に示すように、上方に向かって凸の略円弧状で屋根材本体１の側端部に外方斜め上方に突出させて連設される円弧片３０と、円弧片３０の端部から上方に突出させて形成される突出片３１と、突出片３１の端部から外方に突出させて形成される延設片１２と、延設片１２の先端から上方に突出させて形成される被嵌合部３とから構成されている。被嵌合部３は、延設片１２の端部から上方に突出させて形成される断面略倒Ｓ字状の被係止部１８と、被係止部１８の端部から外方に突出させて形成されるシール密着片３３と、シール密着片３３の端部から下側に折り返されて形成される折り曲げ片３４から構成されている。
【００１８】
図３（ａ）乃至（ｄ）には上記の縦葺屋根材Ａを屋根下地４に固定するための吊子Ｂが示されている。この吊子Ｂは平板状の固定部９に係止部２０と一対の支持部４０とを設けて形成されている。支持部４０は固定部９の一方の側端部から上方に突出させて形成されており、その上部は断面略逆Ｕ字状に形成されている。また、固定部９と支持部４０の境界部分にはリブ部７３が突設されている。係止部２０は一対の支持部４０の間に設けられているものであって、固定部９の上記一方の側端部から固定部９と反対側且つ上方に向かって突出させて断面略Ｌ字状に形成されており、その上部は断面略Ｕ字状に形成されている。また、係止部２０の固定部９側の面と固定部９の上面までに亘ってリブ部７３が突設されている。さらに、係止部２０の両側端部には固定部９側に突出する変形防止片７が設けられている。変形防止片７の上端は略三角形状に形成されており、また、変形防止片７の上端と係止部２０の上端とは、ほぼ同じ高さに位置するように形成されている。
【００１９】
次に、上記の吊子Ｂを用いて縦葺屋根材Ａを葺設する施工例を説明する。まず、吊子Ｂの係止部２０を縦葺屋根材Ａの被嵌合部３の被係止部１８に上側から挿入（圧入）することによって、縦葺屋根材Ａの一方の側端部に沿って所定箇所に複数個の吊子Ｂを取り付ける。吊子Ｂは約６００ｍｍの間隔などの一定のピッチで取り付けるのが好ましい。一方、上記の縦葺屋根材Ａとは別の他の縦葺屋根材Ａの嵌合部２の内側（下側）には図４（ａ）に示すように、シール材（シールパッキン）１０を嵌合部２にその下側開口から差し込んで嵌合部２の全長に亘って収納する。シール材１０はゴムなどの弾性体で長尺の円筒状等に形成されるものであって、断面略Ｕ字状の嵌合部２の内側（下側）の空間と同じかあるいはやや小さい外径を有するものである。このような縦葺屋根材Ａへの吊子Ｂ及びシール材１０の取り付けは地上で行なうのが好ましく、これにより、高所における作業を少なくして危険を低減することができる。もちろん、屋根下地４の上で上記の作業を行っても良い。
【００２０】
次に、多数枚の縦葺屋根材Ａをクレーン等で野地板等の屋根下地４の上に搬送する。次に、屋根下地４の上面と嵌合部２及び被嵌合部３が略平行となるようにして縦葺屋根材Ａを載置する。次に、縦葺屋根材Ａに取り付けられた各吊子Ｂの固定部９に設けた通孔４４を通して屋根下地４に釘やビスなどの固定具４７を打入することにより吊子Ｂを屋根下地４に固定することによって、複数個の吊子Ｂを介して上記縦葺屋根材Ａを屋根下地４に取り付けて固定する。
【００２１】
次に、屋根下地４に固定された上記の縦葺屋根材Ａにこれとは別の他の縦葺屋根材Ａを接続する。屋根下地４の上に固定された縦葺屋根材Ａに他の縦葺屋根材Ａを接続するにあたっては、図４（ａ）に示すように、屋根下地４に固定されている下側の縦葺屋根材Ａの被嵌合部３に上方から他の縦葺屋根材Ａの嵌合部２を被せ、この嵌合部２に上から手で押さえたり足で踏んだりして力を加える。このように上側の他の縦葺屋根材Ａの嵌合部２を上から押圧することによって、上側の縦葺屋根材Ａの折り返し部１９の先端を下側の縦葺屋根材Ａの被嵌合部３の被係止部１８の外面に沿って下方に移動させると共に上側の縦葺屋根材Ａの突部８を吊子Ｂの支持部４０に当接させた状態で下方に移動させる。これにより、図４（ｂ）に示すように、吊子Ｂの支持部４０が固定片９と反対側に向かって傾斜するように弾性変形すると共に、押圧されている嵌合部２が横方向に弾性的に広がった状態で下方へと移動していく。そして、上側の縦葺屋根材Ａの突部８が吊子Ｂの支持部４０の断面略逆Ｕ字状の部分よりも下側に達すると共に上側の縦葺屋根材Ａの折り返し部１９が下側の縦葺屋根材Ａの被嵌合部３の被係止部１８の下側に達すると、吊子Ｂの支持部４０が固定片９側に向かって傾斜するように元の位置に戻ると共に、押圧されている嵌合部２が復元力（スプリングバック）によって広がった状態からほぼ元の形状に戻り、この結果、吊子Ｂの支持部４０に上側の縦葺屋根材Ａの突部８が弾性的に当接すると共に上側の縦葺屋根材Ａの折り返し部１９が下側の縦葺屋根材Ａの延設片１２と被係止部１８の間に挿入されて被係止部１８に弾性的に係止される。
【００２２】
また、上側の縦葺屋根材Ａの嵌合部２の内側（下側）においてシール材１０が圧縮された状態となって、上側の縦葺屋根材Ａの嵌合部２の内側面（下面）と下側の縦葺屋根材Ａの被嵌合部３のシール密着片３３の上面と被係止部１８の外面及び吊子Ｂの支持部４０の上端部とに圧接して密着することになり、嵌合部２と被嵌合部３の間にシール材１０が充填されることになる。この時、下側の縦葺屋根材Ａの被嵌合部３はシール材１０により上側から押圧されて下側に向かって変形しようとするが、被嵌合部３のシール密着片３３の下側に形成された折り曲げ片３４が変形防止片７の上端に当接して被嵌合部３が支持されるために、被嵌合部３の下側への変形が防止されるものである。
【００２３】
このようにして他の縦葺屋根材Ａの嵌合部２を屋根下地４の上に固定された縦葺屋根材Ａの被嵌合部３とこれに嵌着された吊子Ｂの上部に被嵌することによって、図１に示すように屋根下地４に固定されている縦葺屋根材Ａの被嵌合部３と他の縦葺屋根材Ａの嵌合部２を嵌合させて隣接する縦葺屋根材Ａ、Ａ同士を接続することができる。この後、上記一連の作業を繰り返し行うことによって、複数枚の縦葺屋根材Ａを屋根下地４の上に葺設することによって屋根が形成されるのである。
【００２４】
上記のように本発明の縦葺屋根材Ａの接続構造では、シール材１０を被嵌合部３と支持部４０とに圧接させて支持することにより嵌合部２の内面に密着させることができ、隣接する縦葺屋根材Ａ同士の接続部分の防水性能を向上させることができるものである。さらに、本発明ではシール材１０を減圧空間（エアポケット）８０よりも上方で接続部分の頭頂部にて止水するために雨水が溜まってもシール材１０の部分にまで雨水が到達しにくくなり、従来例の位置にシール材１０を設けるよりも格段に防水性を高めることができるものである。しかも、シール材１０で上側から押圧される被嵌合部３を変形防止片７で下側から支持して被嵌合部３の下側への変形を防止することによって、シール材１０と被嵌合部３との間に隙間が生じるのを防いでシール材１０と被嵌合部３の密着性を高く維持することができ、防水性能の低下を防止することができるものである。
【００２５】
また、シール材１０を嵌合部２の内側に収納して縦葺屋根材Ａに取り付けることによって、従来例のような狭い空間に挿入しないで取り付けることができ、シール材１０の取り付けを容易に行うことができて作業性を向上させることができるものである。加えて、従来例では貼り付けたシール材１０の位置のバラツキなどで、シール材１０が当接部５９と被受け部６２の間から外部に露出して外観を損なうことがあったが、本発明では、シール材１０の貼り付け位置が少々ずれたとしても、外部への露出は皆無であり外観を損なわないようにすることができるものであり、意匠性を向上させることができるものである。
【００２６】
図５（ａ）乃至（ｃ）には上記の縦葺屋根材Ａを屋根下地４に固定するための吊子Ｂの他例を示す。この吊子Ｂは平板状の固定部９に係止部２０と一対の支持部４０とを設けて形成されている。支持部４０は固定部９の一方の側端部から斜め上方に突出させて形成されており、その上部は断面略逆Ｕ字状に形成されている。また、支持部４０の上端には斜め上方に突出させて突片５が形成されている。この突片５は支持部４０の上部の屈曲部分の一部を切り起こすことによって形成されている。また、支持部４０の固定部９側の面には被載置部６５が突設されている。さらに、固定部９と支持部４０のリブ部７３が突設されている。係止部２０は一対の支持部４０の間に設けられているものであって、固定部９の上記一方の側端部から固定部９と反対側且つ上方に向かって突出させて断面略Ｌ字状に形成されており、その上部は断面略Ｕ字状に形成されている。また、係止部２０の折れ曲がり部分にはリブ部７３が突設されている。
【００２７】
次に、この吊子Ｂを用いて縦葺屋根材Ａを葺設する施工例を説明する。まず、吊子Ｂの係止部２０を縦葺屋根材Ａの被嵌合部３の被係止部１８に上側から挿入することによって、縦葺屋根材Ａの一方の側端部に沿って所定箇所に複数個の吊子Ｂを取り付ける。吊子Ｂは約６００ｍｍの間隔などの一定のピッチで取り付けるのが好ましい。また、吊子Ｂを縦葺屋根材Ａに上記のようにして取り付けると、吊子Ｂの突片５の先端と縦葺屋根材Ａの被嵌合部３のシール密着片３３の端部とが対向するように近接配置された状態となる。一方、上記の縦葺屋根材Ａとは別の他の縦葺屋根材Ａの嵌合部２の内側（下側）には上記と同様のシール材１０を嵌合部２の全長に亘って収納する。次に、多数枚の縦葺屋根材Ａをクレーン等で野地板等の屋根下地４の上に搬送する。次に、屋根下地４の上面と嵌合部２及び被嵌合部３が略平行となるようにして縦葺屋根材Ａを載置する。次に、縦葺屋根材Ａに取り付けられた各吊子Ｂの固定部９に設けた通孔４４を通して屋根下地４に釘やビスなどの固定具４７を打入することにより吊子Ｂを屋根下地４に固定することによって、複数個の吊子Ｂを介して上記縦葺屋根材Ａを屋根下地４に取り付けて固定する。
【００２８】
次に、屋根下地４に固定された上記の縦葺屋根材Ａにこれとは別の他の縦葺屋根材Ａを接続する。屋根下地４の上に固定された縦葺屋根材Ａに他の縦葺屋根材Ａを接続するにあたっては、屋根下地４に固定されている下側の縦葺屋根材Ａの被嵌合部３に上方から他の縦葺屋根材Ａの嵌合部２を被せ、この嵌合部２に上から手で押さえたり足で踏んだりして力を加える。このように上側の他の縦葺屋根材Ａの嵌合部２を上から押圧することによって、上側の縦葺屋根材Ａの折り返し部１９の先端を下側の縦葺屋根材Ａの被嵌合部３の被係止部１８の外面に沿って下方に移動させると共に上側の縦葺屋根材Ａの突部８を吊子Ｂの支持部４０に当接させた状態で下方に移動させる。これにより、吊子Ｂの支持部４０が固定片９と反対側に向かって傾斜するように弾性変形すると共に、押圧されている嵌合部２が横方向に弾性的に広がった状態で下方へと移動していく。そして、上側の縦葺屋根材Ａの突部８が吊子Ｂの支持部４０の断面略逆Ｕ字状の部分よりも下側に達すると共に上側の縦葺屋根材Ａの折り返し部１９が下側の縦葺屋根材Ａの被嵌合部３の被係止部１８の下側に達すると、押圧されている嵌合部２が復元力（スプリングバック）によって広がった状態からほぼ元の形状に戻り、この結果、吊子Ｂの支持部４０に上側の縦葺屋根材Ａの突部８が弾性的に当接すると共に上側の縦葺屋根材Ａの折り返し部１９が下側の縦葺屋根材Ａの延設片１２と被係止部１８の間に挿入されて被係止部１８に弾性的に係止される。また、上側の縦葺屋根材Ａの載置片１７が吊子Ｂの被載置部６５に載置される。
【００２９】
また、上側の縦葺屋根材Ａの嵌合部２の内側（下側）においてシール材１０が圧縮された状態となって、上側の縦葺屋根材Ａの嵌合部２の内側面（下面）と下側の縦葺屋根材Ａの被嵌合部３のシール密着片３３の上面及び吊子Ｂの支持部４０の上端部とに圧接して密着することになり、嵌合部２と被嵌合部３の間にシール材１０が充填されることになる。また、吊子Ｂの支持部４０の上端に設けた突片５がシール材１０に圧接することになる。
【００３０】
このようにして他の縦葺屋根材Ａの嵌合部２を屋根下地４の上に固定された縦葺屋根材Ａの被嵌合部３とこれに嵌着された吊子Ｂの上部に被嵌することによって、図６に示すように屋根下地４に固定されている縦葺屋根材Ａの被嵌合部３と他の縦葺屋根材Ａの嵌合部２を嵌合させて隣接する縦葺屋根材Ａ、Ａ同士を接続することができる。この後、上記一連の作業を繰り返し行うことによって、複数枚の縦葺屋根材Ａを屋根下地４の上に葺設することによって屋根が形成されるのである。
【００３１】
この実施の形態では上記の実施の形態と同様の効果を奏する他に、支持部４０の上端部に突片５を設け、突片５にてシール材１０を圧接するので、シール材１０を突片５で係止することによってシール材１０の位置が不用意に動かないようにすることができ、特に、シール材１０の長尺方向における位置が不用意に動かないようにすることができ、施工が行い易くなるものである。また、被嵌合部３へ嵌合部２を嵌合する際に、被嵌合部３がシール材１０で上側から押圧されて倒れる方向に変形しかけても、被嵌合部３が突片５に当接させることができ、突片５を被係合部３のストッパーとして作用させて被嵌合部３の変形を防止することができるものであり、被嵌合部３の変形による防水性能の低下を防ぐことができるものである。
【００３２】
尚、吊子Ｂとしては図７に示すように、被載置部６５の部分において支持部４０が途中で若干屈曲しているものを用いても良い。
【００３３】
【発明の効果】
上記のように本発明の請求項１の発明は、一方の側端部に断面略逆Ｕ字状の嵌合部を設けると共に他方の側端部に被嵌合部を設けて縦葺屋根材を形成し、固定部に支持部と係止部とを立設して吊子を形成し、吊子を固定部にて屋根下地に固定すると共に吊子の係止部に縦葺屋根材の被嵌合部を係止し、縦葺屋根材の嵌合部の内側にシール材を挿着し、縦葺屋根材の嵌合部を隣接する縦葺屋根材の被嵌合部に被嵌させることにより被嵌合部の上端部と支持部の上端部にシール材を圧接させて被嵌合部と支持部の支持により嵌合部の内面にシール材を密着して成ることを特徴とするものであり、シール材を被嵌合部と支持部に圧接させて支持することにより嵌合部の内面に密着させることによって、隣接する縦葺屋根材同士の接続部分の防水性能を向上させることができるものである。また、シール材は狭い空間に挿入しないで取り付けることができ、シール材の取り付けを容易に行うことができて作業性を向上させることができるものである。また、シール材は嵌合部の内側に収納することができ、嵌合部の外側にはみ出ないようにして外観を損なわないようにすることができる。
【００３４】
また、本発明の請求項２の発明は、被嵌合部に下側から当接して被嵌合部を支持することにより、シール材の圧接による被嵌合部の下側への変形を防止するための変形防止片を吊子に設けるので、シール材の圧接による被嵌合部の変形を変形防止片で防止することによって、シール材と被嵌合部の密着性が低下しないようにすることができ、防水性能の低下を防止することができるものである。
【図面の簡単な説明】
【図１】本発明の実施の形態の一例を示す断面図である。
【図２】同上の縦葺屋根材を示し、（ａ）は斜視図、（ｂ）（ｃ）は一部の断面図である。
【図３】同上の吊子を示し、（ａ）は平面図、（ｂ）は側面図、（ｃ）は正面図、（ｄ）は斜視図である。
【図４】同上の縦葺屋根材の接続工程を示し、（ａ）（ｂ）は断面図である。
【図５】同上の他の吊子を示し、（ａ）は斜視図、（ｂ）は平面図、（ｃ）は側面図である。
【図６】同上の他の実施の形態の一例を示す断面図である。
【図７】同上の他の実施の形態の一例を示す断面図である。
【図８】従来例の縦葺屋根材を示し、（ａ）は斜視図、（ｂ）は断面図である。
【図９】従来例の吊子を示し、（ａ）（ｂ）は斜視図である。
【図１０】従来例を示す断面図である。
【図１１】シール材を示す斜視図である。
【図１２】他の従来例を示す断面図である。
【符号の説明】
２  嵌合部
３  被嵌合部
７  変形防止片
９  固定部
１０  シール材
２０  係止部
４０  支持部
Ａ  縦葺屋根材
Ｂ  吊子
【図１】
0003773822.tif 000002
【図２】
0003773822.tif 000003
【図３】
0003773822.tif 000004
【図４】
0003773822.tif 000005
【図５】
0003773822.tif 000006
【図６】
0003773822.tif 000007
【図７】
0003773822.tif 000008
【図８】
0003773822.tif 000009
【図９】
0003773822.tif 000010
【図１０】
0003773822.tif 000011
【図１１】
0003773822.tif 000012
【図１２】
0003773822.tif 000013